(57)【要約】【課題】見栄えが良く、組立てが容易で、蓋部の開閉操作では瓦解しない蓋付き折りたたみ容器を提供する。【解決手段】底面部２と、それぞれ厚縁部３ｂを備える前後左右の各側面部３・４と、上記底面部２と前後左右の各側面部３・４とを連接するコーナ連接部５と、後側面部３に設けた蓋部１０とを備える。上記各側面部３・４は、底面部２に連接する前後左右の外壁部３ａ・４ａにそれぞれ厚縁部３ｂ・４ｂと内壁部３ｃ・４ｃと底面接触部３ｄ・４ｄとを順に展開配置して成り、後方の外壁部３ａと厚縁部３ｂとの間に蓋表面部１０ｂと蓋裏面部１０ａとを順に展開配置して前記蓋部１０を構成する。【選択図】　図１
2004059147.tif 000002
【特許請求の範囲】
【請求項１】
底面部（２）と、それぞれ厚縁部（３ｂ・４ｂ）を備える前後左右の各側面部（３・４）と、上記底面部（２）と前後左右の各側面部（３・４）とを連接するコーナ連接部（５）と、後方側面部（３）に設けた蓋部（１０）とを備える蓋付き折りたたみ容器において、
上記各側面部（３・４）は、底面部（２）に連接する前後左右の外壁部（３ａ・４ａ）にそれぞれ厚縁部（３ｂ・４ｂ）と内壁部（３ｃ・４ｃ）と底面接触部（３ｄ・４ｄ）とを順に展開配置して成り、
後方の外壁部（３ａ）と厚縁部（３ｂ）との間に蓋表面部（１０ａ）と蓋裏面部（１０ｂ）とを順に展開配置して前記蓋部（１０）を構成した、ことを特徴とする蓋付き折りたたみ容器。
【請求項２】
請求項１に記載した蓋付き折りたたみ容器において、
上記蓋裏面部（１０ｂ）と蓋表面部（１０ａ）とを予め接着するとともに、前後の各底面接触部（３ｄ）を予め底面部（２）内面の前後各辺に沿って接着した、ことを特徴とする蓋付き折りたたみ容器。
【請求項３】
請求項２に記載した蓋付き折りたたみ容器において、
上記前後の各内壁部（３ｃ）の両横に一対の折込連接片（８・８）を設けるとともに、前記コーナ連接部（５）の要部（５ｅ）を隣接する左右の各外壁部（４ａ）に接着し、上記各折込連接片（８）と各コーナ連接部（５）とを左右の外壁部（４ａ）と内壁部（４ｃ）との間に挟持させた、ことを特徴とする蓋付き折りたたみ容器。
【請求項４】
請求項１乃至請求項３のいずれか１項に記載した蓋付き折りたたみ容器において、
上記蓋裏面部（１０ｂ）に閉蓋係合片（１１）を切り起こし可能に設け、前側外壁部（３ａ）に切設した係合スリット（１２）に上記閉蓋係合片（１１）を係入するように構成した、ことを特徴とする蓋付き折りたたみ容器。
【発明の詳細な説明】
【０００１】
【発明の属する技術分野】
本発明は、蓋付き折りたたみ容器に関する。
【０００２】
【従来の技術】
従来より、この種の蓋付き折りたたみ容器としては、例えば図７に示すものが知られている。これは、底面部２と、前後左右の各側面部３・４と、後側面部３に設けた蓋部１０とを組み立てて蓋付き折りたたみ容器１を構成したものである。
【０００３】
【発明が解決しようとする課題】
しかしながら、この容器１は蓋部１０が開閉する枢軸線Ｚの個所に厚縁部３ｂが無いので、贈答品等を収納する場合に外見上見栄えが良くない。
そこで、蓋部１０が開閉する枢軸線Ｚの内側に厚縁部３ｂを設けた蓋付き折りたたみ容器を発明した。しかし、その場合には、組立てが容易でなく、蓋部１０の開閉操作により、その容器が簡単に瓦解するという問題がある。
【０００４】
本発明はこのような事情に鑑みてなされたものであり、その目的は、組立てが容易で、蓋部の開閉操作では瓦解しない蓋付き折りたたみ容器を提供することにある。
【０００５】
【課題を解決するための手段】
上記課題を解決するために、本発明は以下のように構成される。
即ち、請求項１に記載の発明は、底面部２と、それぞれ厚縁部３ｂを備える前後左右の各側面部３・４と、上記底面部２と前後左右の各側面部３・４とを連接するコーナ連接部５と、後側面部３に設けた蓋部１０とを備える蓋付き折りたたみ容器（以下、これを「本発明の基本構成」と言う）において、例えば図２に示すように、上記各側面部３・４は、底面部２に連接する前後左右の外壁部３ａ・４ａにそれぞれ厚縁部３ｂ・４ｂと内壁部３ｃ・４ｃと底面接触部３ｄ・４ｄとを順に展開配置して成り、後方の外壁部３ａと厚縁部３ｂとの間に蓋表面部１０ａと蓋裏面部１０ｂとを順に展開配置して前記蓋部１０を構成したことを特徴とする。
【０００６】
請求項２に記載の発明は、請求項１に記載した蓋付き折りたたみ容器において、
例えば図４に示すように、上記蓋裏面部１０ｂと蓋表面部１０ａとを予め接着するとともに、前後の各底面接触部３ｄを予め底面部２内面の前後各辺に沿って接着したことを特徴とする。
【０００７】
請求項３に記載の発明は、請求項２に記載した蓋付き折りたたみ容器において、
例えば図３及び図４に示すように、上記前後の各内壁部３ｃの両横に、一対の折込連接片８・８を設けるとともに、前記コーナ連接部５の要部５ｅを隣接する左右の各外壁部４ａに接着し、上記各折込連接片８と各コーナ連接部５とを左右の外壁部４ａと内壁部４ｃとの間に挟持させたことを特徴とする。
【０００８】
請求項４に記載の発明は、請求項１乃至請求項３のいずれか１項に記載した蓋付き折りたたみ容器において、例えば図１及び図２に示すように、上記蓋裏面部１０ｂに閉蓋係合片１１を切り起こし可能に設け、前方の外壁部３ａに切設した係合スリット１２に上記閉蓋係合片１１を係入するように構成したことを特徴とする。
【０００９】
【発明の作用・効果】
本発明によれば、以下の作用・効果を奏する。
（イ）請求項１に記載の発明では、前記基本構成を備える蓋付き折りたたみ容器において、例えば図１及び図２に示すように、上記各側面部３・４は、底面部２に連接する前後左右の外壁部３ａ・４ａにそれぞれ厚縁部３ｂ・４ｂと内壁部３ｃ・４ｃと底面接触部３ｄ・４ｄとを順に展開配置して成り、後方の外壁部３ａと厚縁部３ｂとの間に蓋表面部１０ａと蓋裏面部１０ｂとを順に展開配置して前記蓋部１０を構成したので、この蓋付き容器１は蓋部１０が開閉する枢軸線Ｚの個所に厚縁部３ｂができるので、当該容器の見栄えが良くなる。
【００１０】
（ロ）請求項２に記載の発明では、請求項１に記載した蓋付き折りたたみ容器において、例えば図４に示すように、上記蓋裏面部１０ｂと蓋表面部１０ａとを予め接着するとともに、前後の各底面接触部３ｄを予め底面部２内面の前後各辺に沿って接着したので、後述するように、その容器１の組み立てが容易になる。つまり、この折りたたみ容器１は、運搬時に嵩張らないように所要部を予め貼り付けておき、売店等での折りたたみ容器の組立てが容易となるように、図４に示す状態で売店等へ納入される。また、後述のようにして組立てた容器は、図４に示す形態に簡単に折りたたむこともできるので、廃棄する際にも嵩張らない。
【００１１】
（ロ）請求項３に記載の発明では、請求項２に記載した蓋付き折りたたみ容器において、例えば図３及び図４に示すように、上記前後の各内壁部３ｃの両横に、一対の折込連接片８・８を設けるとともに、前記コーナ連接部５の要部５ｅを隣接する左右の各外壁部４ａに接着し、上記各折込連接片８と各コーナ連接部５とを左右の外壁部４ａと内壁部４ｃとの間に挟持させたことから、例えば図７に示すように容器１を組み立てたときに、これらの折込連接片８と各コーナ連接部５とが、連接する側面部３・４を相互にしっかりと係合することとなる。これにより、組立てられた容器が、蓋部１０を開閉操作する際に瓦解しなくなる。
【００１２】
（ハ）請求項４に記載の発明では、請求項１乃至請求項３のいずれか１項に記載した蓋付き折りたたみ容器において、例えば図１及び図２に示すように、上記蓋裏面部１０ｂに閉蓋係合片１１を切り起こし可能に設け、前方の外壁部３ａに切設した係合スリット１２に上記閉蓋係合片１１を係入することにより、容器内に品物を収容した状態での蓋部１０の開放が妨げられる。これにより、蓋開放防止用のシールや輪ゴム等を使用して閉蓋しなくて済む。
【００１３】
【発明の実施の形態】
以下、本発明の実施形態を添付図面に基づいて説明する。図１は本発明に係る折りたたみ容器の斜視図、図２はその折りたたみ容器の展開図であり、この展開図は表裏が同一に表れる。この折りたたみ容器１は、厚手の紙材により構成され、図１及び図２に示すように、底面部２と、それぞれ厚縁部３ｂを備える前後左右の各側面部３・４と、後側面部３に設けた蓋部１０と、底面部２と各側面部３・４とを連接する各コーナ連接部５とを備え、破線で示す折れ線に沿って組み上げることにより、蓋部１０を備える矩形状の折りたたみ容器が組立てられる。
【００１４】
上記各側面部３・４は、底面部２に連接する前後左右の外壁部３ａ・４ａにそれぞれ厚縁部３ｂ・４ｂと内壁部３ｃ・４ｃと底面接触部３ｄ・４ｄとを順に展開配置して成り、後方の外壁部３ａと厚縁部３ｂとの間に蓋表面部１０ａと蓋裏面部１０ｂとを順に展開配置して前記蓋部１０が構成される。上記構成は、蓋部１０が開閉する枢軸線Ｚの個所に厚縁部３ｂを設けることにより、当該容器の見栄えが良くなるように意図したものである。なお、前後左右の内壁部３ｃ・４ｃには、厚縁部３ｂと等しいスペースを確保するため、それぞれ複数のスペーサ片１３ａ・１３ｂが切り起こし可能に設けられている。
【００１５】
以下、この折りたたみ容器１の組立て手順について説明する。
図２に示すように、蓋表面部１０ａの左右には一対のフラップ７・７が付設配置され、蓋裏面部１０ｂの内面に接着剤１０ｅが略コの字状に塗着され、前後の各底面接触部３ｄの内面に接着剤３ｅが塗着され、前記各コーナ連接部５の所要個所の内面５ｅ（以下、これを要部という）に接着剤が塗着されている。
【００１６】
図３は組立て手順１を示す折りたたみ容器の平面図である。先ず、上記フラップ７・７を図３に示すように、当該蓋表面部１０ａの裏面に折り曲げる。なお、これらのフラップ７は折りたたみ容器１を構成する上で不可欠ではなく、組立てたときに蓋端面の見栄えを良くする観点から設けられている。
【００１７】
次いで図４は組立て手順２を示す折りたたみ容器の平面図である。図４に示すように、蓋表面部１０ａと蓋裏面部１０ｂとを折り重ねて接着するとともに、前後の底面接触部３ｄ・３ｄをそれぞれ底面部内面の前後の辺に沿って予め貼り付けておく。なお、貼り付けに際して、前記スペーサ片１３ａを底面部内面の前後の辺に沿わせ、厚縁部３ｂと等しいスペースを確保する。
【００１８】
上記貼り付けは売店等での容器１の組み立てが容易になるように意図したものである。即ち、この折りたたみ容器１は、運搬時に嵩張らないように所要部を予め貼り付けておき、売店等での折りたたみ容器の組立てが容易となるように、図４に示す状態で売店等へ納入される。また、後述のようにして組立てた容器は、図４に示す形態に簡単に折りたたむこともできるので、廃棄する際にも嵩張らない。
【００１９】
上記蓋裏面部１０ｂには、閉蓋係合片１１が切り起こし可能に設けられており、前方の外壁部３ａに切設した係合スリット１２に上記閉蓋係合片１１を係入することにより、容器内に品物を収容した状態での蓋部１０の開放が妨げられるように構成されている。これにより、蓋開放防止用のシールや輪ゴム等を使用しなくて済む。
【００２０】
次いで図５は組立て手順３を示す折りたたみ容器の平面図である。図５に示すように、前後の外壁部３ａと内壁部３ｃとを折り曲げて立ち上げる。すると容器の各コーナ部に、コーナ連接部５及びこれに付設された小さな折込連接片６と、比較的大きな折込連接片８とが、図５に示す状態で表れる。
【００２１】
次いで図６は組立て手順４を示す折りたたみ容器の平面図である。図６に示すように、左右の外壁部３ａを同様に折り曲げて立ち上げる。そして各コーナ連接部５の要部５ｅに塗着されている接着剤で当該各コーナ連接部５と左右の各内壁部４ａとを接着する。これにより矩形容器の枠組みが確立する。このとき、左右の底面接触部４ｄを外向きに折り曲げておく。
【００２２】
次いで図７は組立て手順５を示す折りたたみ容器の平面図である。図７に示すように、左右の外壁部４ａと内壁部４ｃとの間に、上記コーナ連接部５と折込連接片６及び８を挟み込んで挿入し、次いで各底面接触部４ｄを底面部２の左右の辺に沿わせてその両端の係合部１５をそれぞれ前後の各底面接触部３ｄの係合部１５と係合させる。この係合状態では各底面接触部３ｄのコーナ部が相互にしっかりと係合し離脱しにくくなる。これにより、組立てられた容器１が、蓋部１０の開閉操作で簡単に瓦解することがなくなる。
【００２３】
この発明は上記の実施形態に限定されるものではなく、この発明の要旨を変更しない範囲内において、例えば下記のように種々の設計変更を施すことが可能である。
（ａ）上記の実施形態では、容器を厚手の紙材により構成したものについて例示したが、合成術材料や皮革等、各種の材料を用いることができる。
（ｂ）上記容器１の具体的な矩形形状や閉蓋係合片１１、スペーさ片１３ａ・１３ｂの形状等についても、適宜変更を加えて実施することもできる。
【図面の簡単な説明】
【図１】本発明に係る蓋付き折りたたみ容器の斜視図である。
【図２】本発明に係る蓋付き折りたたみ容器の展開図である。
【図３】組立て手順１を示す折りたたみ容器の平面図である。
【図４】組立て手順２を示す折りたたみ容器の裏面図である。
【図５】組立て手順３を示す折りたたみ容器の平面図である。
【図６】組立て手順４を示す折りたたみ容器の平面図である。
【図７】組立て手順５を示す折りたたみ容器の平面図である。
【図８】従来例に係る蓋付き折りたたみ容器の斜視図である。
【符号の説明】
１…容器、２…底面部、３・４…側面部、３ａ・４ａ…外壁部、３ｂ・４ｂ…厚縁部、３ｃ・４ｃ…内壁部、３ｄ・４ｄ…底面接触部、５…コーナ連接部、５ｅ…コーナ連接部の要部、８…折込連接片、１０…蓋部、１０ａ…蓋表面部、１０ｂ…蓋裏面部、１１…閉蓋係合片、１２…係合スリット。
【図１】
2004059147.tif 000003
【図２】
2004059147.tif 000004
【図３】
2004059147.tif 000005
【図４】
2004059147.tif 000006
【図５】
2004059147.tif 000007
【図６】
2004059147.tif 000008
【図７】
2004059147.tif 000009
【図８】
2004059147.tif 000010